(57)【要約】【課題】右手または左手で把持したとき容易に使用でき、かつ誤動作を低減した携帯情報端末を提供すること。【解決手段】本体部１１０と情報を表示する液晶画面部１０２とを備える携帯情報端末１００であって、本体部１１０と液晶画面部１０２との少なくとも一方の対向する位置に少なくとも一対の操作部材ＡＲ、ＡＬが設けられ、対向する位置の一対の操作部材ＡＲ、ＡＬは同一の機能を有し、使用者ＯＢＳが右手で携帯情報端末１００を把持したときに、一対の操作部材のうち一方ＡＬの機能を無効にする操作部材無効化部１０３を有する。【選択図】        図１
2006134012.tif 000002
【特許請求の範囲】
【請求項１】
本体部と情報を表示する光学素子とを備える携帯情報端末であって、
前記本体部と前記光学素子との少なくとも一方の対向する位置に少なくとも一対の操作部材が設けられ、
対向する位置の一対の前記操作部材は同一の機能を有し、
使用者が手で前記携帯情報端末を把持したときに、一対の前記操作部材のうち一方の機能を無効にする操作部材無効化部を有することを特徴とする携帯情報端末。
【請求項２】
前記本体部は、４つの側面を備える略直方体形状を有し、
前記操作部材は、対向する２つの前記側面に設けられていることを特徴とする請求項１に記載の携帯情報端末。
【請求項３】
前記携帯情報端末は、さらに、
所定の情報を表示する電子情報表示部と、
前記電子情報表示部に表示された情報を実視野に重畳的に表示する半透過光学素子とを有することを特徴とする請求項１又は請求項２に記載の携帯情報端末。
【請求項４】
本体部と情報を表示する光学素子とを備える携帯情報端末であって、
前記本体部は、所定軸を中心に回転対称な形状を前記所定軸に平行な平面で切り取った形状を有し、
前記本体部の対向する位置に少なくとも一対の操作部材が設けられ、
対向する位置の一対の前記操作部材は同一の機能を有していることを特徴とする携帯情報端末。
【請求項５】
前記携帯情報端末は、さらに、
所定の情報を表示する電子情報表示部と、
前記電子情報表示部に表示された情報を実視野に重畳的に表示する半透過光学素子とを有することを特徴とする請求項４に記載の携帯情報端末。
【発明の詳細な説明】
【技術分野】
【０００１】
本発明は、携帯情報端末、特に、右手または左手で把持したとき容易に使用できる携帯情報端末に関するものである。
【背景技術】
【０００２】
従来、情報化社会の発達に伴い、携帯情報端末、例えば携帯電話機が非常に多く用いられるようになっている。そして、技術改良が進み、携帯情報端末に付加される機能も多様化している。例えば、携帯電話機は、本来の通話に加えて、写真撮影、テレビ画像の鑑賞、電子メール、ウェッブ（Ｗｅｂ）の利用等もできる。このような機能の多機能化に伴って、操作ボタンの数量も増加している。操作ボタンの数が増加すると、カバンの中において、物と携帯情報端末とが接触してしまうことが多くなる。これにより、操作ボタンが不用意に操作される結果、使用者が意図しない機能が動作してしまうこと、即ち誤動作を生じてしまう。このような誤動作を防止するための構成が提案されている（例えば、特許文献１参照。）。
【０００３】
【特許文献１】特開２００３−２１６５８７号公報
【発明の開示】
【発明が解決しようとする課題】
【０００４】
携帯情報端末の多機能化に伴って、使用者は右手または左手により様々な態様で携帯情報端末を把持することが考えられる。このため、右手、左手を問わず、携帯情報端末を把持したときに、すぐに使用できることが望ましい。従来技術の構成では、携帯情報端末に向かって右側の側面と左側の側面とに操作キーが同一の配置で設けられている。そして、携帯情報端末を右手で把持したときと、左手で把持したときとでは、同一の操作キーが同一の機能を果たすように構成されている。しかしながら、従来技術の構成では、２つの機能が利用できるのみである。
【０００５】
本発明は、上記に鑑みてなされたものであって、右手または左手で把持したときに、様々な機能を容易に実行でき、かつ誤動作を低減した携帯情報端末を提供することを目的とする。
【課題を解決するための手段】
【０００６】
上述した課題を解決し、目的を達成するために、第１の本発明によれば、本体部と情報を表示する光学素子とを備える携帯情報端末であって、本体部と光学素子との少なくとも一方の対向する位置に少なくとも一対の操作部材が設けられ、対向する位置の一対の操作部材は同一の機能を有し、使用者が手で携帯情報端末を把持したときに、一対の操作部材のうち一方の機能を無効にする操作部材無効化部を有することを特徴とする携帯情報端末を提供することができる。
【０００７】
また、本発明の好ましい態様によれば、本体部は、４つの側面を備える略直方体形状を有し、操作部材は、対向する２つの側面に設けられていることが望ましい。
【０００８】
また、本発明の好ましい態様によれば、携帯情報端末は、さらに、所定の情報を表示する電子情報表示部と、電子情報表示部に表示された情報を実視野に重畳的に表示する半透過光学素子とを有することが望ましい。
【０００９】
また、第２の本発明によれば、本体部と情報を表示する光学素子とを備える携帯情報端末であって、本体部は、所定軸を中心に回転対称な形状を所定軸に平行な平面で切り取った形状を有し、本体部の対向する位置に少なくとも一対の操作部材が設けられ、対向する位置の一対の操作部材は同一の機能を有していることが望ましい。
【００１０】
また、本発明の好ましい態様によれば、携帯情報端末は、さらに、所定の情報を表示する電子情報表示部と、電子情報表示部に表示された情報を実視野に重畳的に表示する半透過光学素子とを有することが望ましい。
【発明の効果】
【００１１】
第１の本発明によれば、本体部と光学素子との少なくとも一方の対向する位置に少なくとも一対の操作部材が設けられ、対向する位置の一対の操作部材は同一の機能を有している。このため、使用者が携帯情報端末を右手で把持したときと、左手で把持したときとのいずれの場合でも、操作部材の機能を切替えることなく、そのまますぐに使用できる。また、操作部材無効化部は、使用者が手で携帯情報端末を把持したときに、一対の操作部材のうち一方の機能を無効にする。使用者が携帯情報端末を把持したとき、操作部材を指先で押すことで所定の機能を発揮させる。このため、指先とは異なる部分、即ち手のひらが接触している操作部材は機能させないことが望ましい。本発明では、例えば、使用者が携帯情報端末を右手で把持したとき、右手の手のひらが接触する領域に配置されている操作部材を無効にする。これにより、使用者は右手の指先の動きのみで操作部材を扱うことができる。この結果、誤動作を低減できる。
【００１２】
第２の本発明では、本体部は、所定軸を中心に回転対称な形状を所定軸に平行な平面で切り取った形状を有している。例えば、本体部は、ラグビーボール形状や玉子形状を、その回転対称軸に平行な平面で切り取った略半球のような形状である。使用者が、このような形状の本体部を把持するとき、５本の指と親指の付け根近傍の手のひらとで本体部を支える。このとき、５本の指先は所定の操作部材に接触し、かつ親指の付け根近傍の手のひらは所定の操作部材に対向する他の操作部材に接触しないように、本体部の大きさ、形状としている。対向する位置の一対の操作部材は同一の機能を有している。このため、使用者が携帯情報端末を右手で把持したときと、左手で把持したときとのいずれの場合でも、操作部材の機能を切替えることなく、そのまますぐに使用できる。また、使用者が携帯情報端末を把持したとき、操作部材を指先で押すことで所定の機能を発揮させる。そして、指先とは異なる部分、即ち手のひらの部分は、対向する位置の他方の操作部材とは接触しない。これにより、使用者は右手の指先の動きのみで操作部材を扱うことができる。この結果、誤動作を低減できる。
【発明を実施するための最良の形態】
【００１３】
以下に、本発明に係る携帯情報端末の実施例を、図面に基づいて詳細に説明する。なお、この実施例によりこの発明が限定されるものではない。
【実施例１】
【００１４】
図１は、本発明の実施例１に係る携帯情報端末１００の斜視構成を示す。本実施例の携帯情報端末１００は、携帯電話機の機能を有する。本実施例の携帯情報端末１００は、いわゆるストレートタイプの携帯電話機である。携帯情報端末１００は、本体部１１０と、液晶画面部１０２とを有する。液晶画面部１０２は、光学素子に対応する。さらに、携帯情報端末１００は、テンキー１３０を備えている。テンキー１３０は、数字キー、記号キー、アルファベットキー等から構成される。
【００１５】
本体部１１０は、４つの側面を備える略直方体形状を有している。操作部材は、対向する２つの側面に設けられている。具体的には、一対の操作部材ＡＲと操作部材ＡＬとが対向する側面に設けられている。操作部材ＡＲと操作部材ＡＬとは同一の機能を有している。同様に、同一の側面の異なる位置に一対の操作部材ＢＲ、ＢＬと、一対の操作部材ＣＲ、ＣＬと、一対の操作部材ＤＲ、ＤＬとがそれぞれ設けられている。このように、携帯情報端末１００は、４対の操作部材を有している。操作部材ＡＲ、ＡＬ等は、例えば、押しボタンスイッチである。操作部材ＡＲ、ＡＬ等は、写真撮影のズーム機能、レリーズ機能、または電話機における音量調節機能、液晶画面部１０２の明るさ調整機能を有することができる。
【００１６】
図２は、使用者ＯＢＳが右手ＲＨで携帯情報端末１００を把持している様子を示す。また、図３は、使用者ＯＢＳが左手ＬＨで携帯情報端末１００を把持している様子を示す。図２に示すように、右手ＲＨで携帯情報端末１００を把持するとき、親指は操作部材ＡＲに接触する。右手ＲＨのその他の指は操作部材ＢＬ、ＣＬ、ＤＬに接触する。これに対して、図３に示すように、左手ＬＨで携帯情報端末１００を把持するとき、親指は操作部材ＡＬに接触する。左手ＬＨのその他の指は操作部材ＢＲ、ＣＲ、ＤＲに接触する。ここで、上述したように、一対の操作部材ＡＲ、ＡＬ、操作部材ＢＲ、ＢＬ、操作部材ＣＲ、ＣＬ、操作部材ＤＲ、ＤＬはそれぞれ同一の機能を有している。このため、使用者ＯＢＳが携帯情報端末１００を右手ＲＨで把持したときと、左手ＬＨで把持したときとのいずれの場合でも、操作部材の機能を切替えることなく、そのまますぐに使用できる。
【００１７】
さらに、携帯情報端末１００は、その内部に操作部材無効化部１０３を備えている。操作部材無効化部１０３は、使用者ＯＢＳ（不図示）が手で携帯情報端末１００を把持したときに、各操作部材ＡＲ、ＢＲ、ＣＲ、ＤＲ、ＡＬ、ＢＬ、ＣＬ、ＤＬの機能を無効にすること、または有効にすることの制御を行なう。例えば、使用者ＯＢＳが携帯情報端末１００を右手ＲＨで把持したとき、右手ＲＨの親指が操作部材ＡＲに接触する。操作部材無効化部１０３は、操作部材ＡＲの接触を検出する。このとき、操作部材無効化部１０３は、使用者ＯＢＳが右手ＲＨで携帯情報端末１００を把持していると判断する。そして、操作部材無効化部１０３は、右手ＲＨの手のひらが接触する領域に配置されている操作部材ＢＲ、ＣＲ、ＤＲを無効にする。これにより、使用者ＯＢＳは右手ＲＨの指先の動きのみで操作部材を扱うことができる。
【００１８】
同様に、操作部材無効化部１０３は、例えば、使用者ＯＢＳが携帯情報端末１００を左手ＬＨで把持したとき、左手ＬＨの親指が操作部材ＡＬに接触する。操作部材無効化部１０３は、操作部材ＡＬの接触を検出する。このとき、操作部材無効化部１０３は、使用者ＯＢＳが左手ＬＨで携帯情報端末１００を把持していると判断する。そして、操作部材無効化部１０３は、左手ＬＨの手のひらが接触する領域に配置されている操作部材ＢＬ、ＣＬ、ＤＬを無効にする。これにより、使用者ＯＢＳは左手ＬＨの指先の動きのみで操作部材を扱うことができる。この結果、使用者ＯＢＳが右手ＲＨまたは左手ＬＨで把持したとき、誤動作を低減できる。
【００１９】
（変形例）
図４は、実施例１の携帯情報端末１００の変形例を示す。本変形例は、本体部１１０の対向する位置に一対の操作部材ＡＲ、ＡＬが設けられている。使用者ＯＢＳが右手ＲＨで携帯情報端末１００を把持するとき、右手ＲＨの親指が操作部材ＡＲに接触する。このとき、操作部材ＡＬには、右手ＲＨは接触しない。これに対して、使用者ＯＢＳが左手ＬＨで携帯情報端末１００を把持するとき、左手ＬＨの親指が操作部材ＡＬに接触する。ここで、本変形例では、操作部材ＡＬ及び操作部材ＡＲを、図１７の（Ａ）、（Ｂ）、（Ｃ）で示すように、２段階で押し込まれる構造としている。このようにすれば、２つの機能を実行できる。また、図１７の（Ｄ）、（Ｅ）に示すように、シーソー型にしても良い。このとき、操作部材ＡＲには、左手ＬＨは接触しない。このため、本変形例では、操作部材無効化部１０３を設けずに、右手ＲＨまたは左手ＬＨで携帯情報端末１００を把持したときの誤動作を低減できる。
【実施例２】
【００２０】
図５−１、５−２は、本発明の実施例２に係る携帯情報端末２００の斜視構成を示す。上記実施例１と同一の部分には同一の符号を付し、重複する説明は省略する。携帯情報端末２００は、シースルービュアー（ｓｅｅ‐ｔｈｒｏｕｇｈ  ｖｉｅｗｅｒ）の機能と、携帯電話機の機能とを有している。携帯情報端末２００は、本体部２１０と、半透過光学素子２０２とを有する。半透過光学素子２０２は、光学素子に対応する。さらに、本体部２１０は、撮像部１０４と、電子情報表示部２０１とを備えている。撮像部１０４として、小型カメラを用いることができる。電子情報表示部２０１として、液晶表示パネルや有機ＥＬパネルを用いることができる。また、半透過光学素子２０２は、ホログラム素子やハーフミラーを用いることができる。これにより、携帯情報端末２００は、いわゆるシースルービュアーを構成する。
【００２１】
携帯情報端末２００は、さらに、テン（１０）キー１３０を備えている。テンキー１３０は、数字キー、記号キー、アルファベットキー等から構成される。また、半透過光学素子２０２は、観察物ＯＢＪからの光を透過し、電子情報表示部２０１からの光を使用者ＯＢＳの方向へ反射する。これにより、半透過光学素子２０２は、電子情報表示部２０１に表示された情報を、観察物ＯＢＪの実視野に重畳的に表示する。
【００２２】
図６−１は、携帯情報端末２００の上面構成を示す。図６−２は、携帯情報端末２００の断面構成を示す。撮像部１０４は、光学レンズ（不図示）と、撮像デバイス（不図示）とから構成されている。撮像デバイスは、例えば２次元ＣＣＤを用いることができる。撮像部１０４は、実視野の観察物ＯＢＪ等を撮像する。
【００２３】
また、図６−２に示すように、使用者ＯＢＳは、半透過光学素子２０２を透過して観察物ＯＢＪを実視野で観察する。同時に、電子情報表示部２０１に表示された情報の像は、半透過光学素子２０２により使用者ＯＢＳの方向へ反射される。これにより、使用者ＯＢＳは、観察物ＯＢＪを実視野で観察しつつ、重畳して表示された情報を認識できる。
【００２４】
使用者ＯＢＳは、携帯情報端末２００を携帯電話機として使用するとき、いわゆる縦位置で把持する。即ち、使用者ＯＢＳは、上記実施例１の図２、図３で図示したような縦位置において、右手ＲＨまたは左手ＬＨで携帯情報端末２００を把持する。このため、右手ＲＨまたは左手ＬＨで容易に携帯情報端末２００を使用できる。さらに、携帯情報端末２００は操作部材無効化部１０３を備えている。これにより、誤動作を低減できる。
【実施例３】
【００２５】
図７は、本発明の実施例３に係る携帯情報端末３００の概略構成を示す。携帯情報端末３００は、シースルービュアーの機能を有している。使用者ＯＢＳは、携帯情報端末３００を用いて観察物ＯＢＪを観察する。携帯情報端末３００は、本体部３１０と、半透過光学素子２０２とを有する。半透過光学素子２０２は、光学素子に対応する。さらに、本体部３１０は、撮像部１０４と、電子情報表示部２０１（図８−３）とを備えている。撮像部１０４として、小型カメラを用いることができる。電子情報表示部２０１として、液晶表示パネルや有機ＥＬパネルを用いることができる。また、半透過光学素子２０２は、ホログラム素子やハーフミラーを用いることができる。これにより、携帯情報端末３００は、いわゆるシースルービュアーを構成する。
【００２６】
図８−１、図８−２は、携帯情報端末３００の斜視図である。図８−１は、半透過光学素子２０２を引き上げている状態（展開した状態）を示す。図８−２は、半透過光学素子２０２を閉じた状態（格納した状態）を示す。このように、半透過光学素子２０２は開閉自在である。図８−１に示すように、本体部３１０は、所定軸ＡＸを中心に回転対称な形状を所定軸ＡＸに平行なｙｚ平面で切り取った形状を有している。例えば、本体部３１０は、ラグビーボール形状や玉子形状を、その回転対称軸ＡＸに平行なｙｚ平面で切り取った略半球のような形状である。
【００２７】
図８−３に示すように、半透過光学素子２０２は、観察物ＯＢＪからの光を透過し、電子情報表示部２０１からの光を使用者ＯＢＳの方向へ反射する。これにより、半透過光学素子２０２は、電子情報表示部２０１に表示された情報を、観察物ＯＢＪの実視野に重畳的に表示する。このように、本実施例の携帯情報端末３００は、半球の玉子形状の本体部３１０を有するシースルービュアーである。
【００２８】
図８−１、８−２、８−３に示すように、本体部３１０の周囲には、一対の操作部材ＡＲと操作部材ＡＬとが対向する側面に設けられている。操作部材ＡＲと操作部材ＡＬとは、同一の機能を有している。同様に、同一の周囲部分の異なる位置に、一対の操作部材ＢＲ、ＢＬと、一対の操作部材ＣＲ、ＣＬと、一対の操作部材ＤＲ、ＤＬとが、それぞれ設けられている。また、撮像部１０４と対向する位置に、レリーズボタンＲＬが設けられている。このように、携帯情報端末３００は、４対の操作部材と、１つのレリーズボタンＲＬを有している。操作部材ＡＲ、ＡＬ等は、例えば、押しボタンスイッチである。なお、ボタンＲＬはレリーズ機能のボタンに限定されるわけではない。ボタンＲＬは、別の機能を持つボタンであっても良い。
【００２９】
図９は、使用者ＯＢＳが携帯情報端末３００を使用している状態を正面から見た図である。使用者ＯＢＳは、右手ＲＨで携帯情報端末３００を把持する。このときは、右眼で半透過光学素子２０２を介して実視野を観察する。
【００３０】
図１０、図１１は、右手ＲＨで携帯情報端末３００を把持している状態の詳細を示す。使用者ＯＢＳが、このような形状の本体部３１０を把持するとき、５本の指と親指の付け根近傍の手のひらとで本体部３１０を支える。図１０に示すように、右手ＲＨで携帯情報端末３００を把持するとき、親指はレリーズボタンＲＬに接触する。右手ＲＨのその他の指は操作部材ＡＲ、ＢＲ、ＣＲ、ＤＲに接触する。
【００３１】
ここで、本体部３１０の大きさや形状は、以下の（１）、（２）を満足するように決められている。（１）５本の指先は、所定の操作部材ＡＲ、ＢＲ、ＣＲ、ＤＲに接触する。（２）親指の付け根近傍の手のひらは、所定の操作部材ＡＲ、ＢＲ、ＣＲ、ＤＲに対向する他の操作部材ＡＬ、ＢＬ、ＣＬ、ＤＬに接触しない。このため、親指の付け根近傍の手のひらは、対向する他の操作部材ＡＬ、ＢＬ、ＣＬ、ＤＬに接触しない。これにより、使用者ＯＢＳは、右手ＲＨの指先の動きのみで、操作部材ＡＲ、ＢＲ、ＣＲ、ＤＲを扱うことができる。この結果、誤動作を低減できる。
【００３２】
また、使用者ＯＢＳが左手（不図示）で携帯情報端末３００を把持するとき、親指はレリーズボタンＲＬに接触する。左手のその他の指は、操作部材ＡＬ、ＢＬ、ＣＬ、ＤＬに接触する。これに対して、左手の親指の付け根近傍の手のひらは、対向する他の操作部材ＡＲ、ＢＲ、ＣＲ、ＤＲに接触しない。これにより、使用者ＯＢＳは、左手の指先の動きのみで、操作部材ＡＬ、ＢＬ、ＣＬ、ＤＬを扱うことができる。この結果、誤動作を低減できる。
【００３３】
また、対向する一対の操作部材ＡＲ、ＡＬは、同一の機能を有している。一対の操作部材ＢＲ、ＢＬと、一対の操作部材ＣＲ、ＣＬと、一対の操作部材ＤＲ、ＤＬともそれぞれ同一の機能を有している。このため、使用者ＯＢＳが携帯情報端末１００を右手ＲＨで把持したときと、左手で把持したときとのいずれの場合でも、操作部材の機能を切替えることなく、そのまますぐに使用できる。
【実施例４】
【００３４】
図１２は、本発明の実施例４に係る携帯情報端末４００の斜視構成を示す。携帯情報端末４００は、シースルービュアーの機能を有している。使用者ＯＢＳは、携帯情報端末４００を用いて観察物ＯＢＪを観察する。携帯情報端末４００は、本体部４１０と、半透過光学素子２０２とを有する。半透過光学素子２０２は、光学素子に対応する。さらに、本体部４１０は、撮像部１０４と、電子情報表示部２０１（図１３）とを備えている。撮像部１０４として、小型カメラを用いることができる。電子情報表示部２０１として、液晶表示パネルや有機ＥＬパネルを用いることができる。また、半透過光学素子２０２は、ホログラム素子やハーフミラーを用いることができる。これにより、携帯情報端末４００は、いわゆるシースルービュアーを構成する。
【００３５】
図１２は、半透過光学素子２０２を引き上げている状態を示す。図１２に示すように、本体部４１０は、所定軸ＡＸを中心に回転対称な形状を所定軸ＡＸに平行なｙｚ平面で切り取った形状を有している。例えば、本体部４１０は、円柱形状を、その回転対称軸ＡＸに平行なｙｚ平面で切り取った略半円柱のような形状である。
【００３６】
図１３に示すように、半透過光学素子２０２は、観察物ＯＢＪからの光を透過し、電子情報表示部２０１からの光を使用者ＯＢＳの方向へ反射する。これにより、半透過光学素子２０２は、電子情報表示部２０１に表示された情報を観察物ＯＢＪの実視野に重畳的に表示する。このように、本実施例の携帯情報端末４００は、半円柱形状の本体部４１０を有するシースルービュアーである。使用者ＯＢＳは、携帯情報端末４００を用いて観察物ＯＢＪを観察する。
【００３７】
図１２、１３に示すように、本体部４１０の周囲には、一対の操作部材ＡＲと操作部材ＡＬとが、対向する側面に設けられている。操作部材ＡＲと操作部材ＡＬとは、同一の機能を有している。同様に、同一の周囲部分の異なる位置に、一対の操作部材ＢＲ、ＢＬと、一対の操作部材ＣＲ、ＣＬと、一対の操作部材ＤＲ、ＤＬとがそれぞれ設けられている。また、撮像部１０４と対向する位置に、レリーズボタンＲＬが設けられている。このように、携帯情報端末４００は、４対の操作部材と、１つのレリーズボタンＲＬを有している。操作部材ＡＲ、ＡＬ等は、例えば、押しボタンスイッチである。
【００３８】
図１４、図１５は、左手ＬＨで携帯情報端末４００を把持している詳細を示す。使用者ＯＢＳが、このような形状の本体部４１０を把持するとき、５本の指と親指の付け根近傍の手のひらとで、本体部４１０を支える。図１４に示すように、左手ＬＨで携帯情報端末４００を把持するとき、親指はレリーズボタンＲＬに接触する。左手ＬＨのその他の指は操作部材ＡＬ、ＢＬ、ＣＬ、ＤＬに接触する。
【００３９】
ここで、本体部４１０の大きさや形状は、以下の（１）、（２）を満足するように決められている。（１）５本の指先は、所定の操作部材ＡＬ、ＢＬ、ＣＬ、ＤＬに接触する。（２）親指の付け根近傍の手のひらは、対向する他の操作部材ＡＲ、ＢＲ、ＣＲ、ＤＲに接触しない。このため、親指の付け根近傍の手のひらは、所定の操作部材ＡＬ、ＢＬ、ＣＬ、ＤＬに対向する他の操作部材ＡＲ、ＢＲ、ＣＲ、ＤＲに接触しない。これにより、使用者ＯＢＳは、左手ＬＨの指先の動きのみで、操作部材ＡＬ、ＢＬ、ＣＬ、ＤＬを扱うことができる。この結果、誤動作を低減できる。
【００４０】
これに対して、使用者ＯＢＳが右手（不図示）で携帯情報端末４００を把持するとき、親指はレリーズボタンＲＬに接触する。右手のその他の指は操作部材ＡＲ、ＢＲ、ＣＲ、ＤＲに接触する。これに対して、右手の親指の付け根近傍の手のひらは、対向する他の操作部材ＡＬ、ＢＬ、ＣＬ、ＤＬに接触しない。これにより、使用者ＯＢＳは、右手の指先の動きのみで、操作部材ＡＲ、ＢＲ、ＣＲ、ＤＲを扱うことができる。この結果、誤動作を低減できる。
【００４１】
また、対向する一対の操作部材ＡＲ、ＡＬは、同一の機能を有している。一対の操作部材ＢＲ、ＢＬと、一対の操作部材ＣＲ、ＣＬと、一対の操作部材ＤＲ、ＤＬとも、それぞれ同一の機能を有している。このため、使用者ＯＢＳが携帯情報端末４００を右手ＲＨで把持したときと、左手ＬＨで把持したときとのいずれの場合でも、操作部材の機能を切替えることなく、そのまますぐに使用できる。
【００４２】
（変形例）
図１６は、実施例４の変形例に係る携帯情報端末５００を左手ＬＨで把持している様子を示す。携帯情報端末５００の本体部５１０は、所定軸ＡＸを中心に回転対称な形状を所定軸ＡＸに平行なｙｚ平面で切り取った形状を有している。例えば、本体部５１０は、円柱形状を、その回転対称軸ＡＸに平行なｙｚ平面で切り取った略円柱のような形状である。
【００４３】
使用者ＯＢＳが、このような形状の本体部５１０を把持するとき、５本の指と親指の付け根近傍の手のひらとで本体部５１０を支える。このとき、本体部５１０の大きさや形状は、以下の（１）、（２）を満足するように決められている。（１）５本の指先は、所定の操作部材ＡＬ、ＢＬ、ＣＬ、ＤＬに接触する。（２）親指の付け根近傍の手のひらは、対向する他の操作部材ＡＲ、ＢＲ、ＣＲ、ＤＲに接触しない。対向する位置の一対の操作部材ＡＲ、ＡＬ等は、それぞれ同一の機能を有している。このため、使用者ＯＢＳが携帯情報端末５００を右手ＲＨで把持したときと、左手ＬＨで把持したときとのいずれの場合でも、操作部材の機能を切替えることなく、そのまますぐに使用できる。また、使用者ＯＢＳが携帯情報端末５００を左手ＬＨで把持したとき、操作部材ＡＬ、ＢＬ、ＣＬ、ＤＬを指先で押すことで、所定の機能が発揮される。そして、指先とは異なる部分、例えば手のひらの部分は、指先が接触している操作部材ＡＬ、ＢＬ、ＣＬ、ＤＬと対向する位置の操作部材ＡＲ、ＢＲ、ＣＲ、ＤＲとは接触しない。これにより、使用者ＯＢＳは左手ＬＨの指先の動きのみで操作部材ＡＬ、ＢＬ、ＣＬ、ＤＬを扱うことができる。この結果、誤動作を低減できる。
【００４４】
本発明は、上述のシースルービュアー、携帯電話機に限られず、例えばＰＤＡ（Ｐｅｒｓｏｎａｌ  Ｄｉｇｉｔａｌ  Ａｓｓｉｓｔａｎｃｅ）に適用できる。このように、本発明は、その趣旨を逸脱しない範囲で種々の変形例をとることができる。
【産業上の利用可能性】
【００４５】
以上のように、本発明に係る携帯情報端末は、右手または左手で使用する携帯情報端末に適している。
【図面の簡単な説明】
【００４６】
【図１】実施例１に係る携帯情報端末の概略構成を示す図である。
【図２】実施例１の携帯情報端末を右手で把持する構成を示す図である。
【図３】実施例１の携帯情報端末を左手で把持する構成を示す図である。
【図４】実施例１の変形例の概略構成を示す図である。
【図５−１】実施例２の携帯情報端末の斜視構成を示す図である。
【図５−２】実施例２の携帯情報端末の斜視構成を示す他の図である。
【図６−１】実施例２の携帯情報端末の上面図である。
【図６−２】実施例２の携帯情報端末の断面図である。
【図７】実施例３に係る携帯情報端末の概略構成を示す図である。
【図８−１】実施例３の携帯情報端末の斜視構成を示す図である。
【図８−２】実施例３の携帯情報端末の斜視構成を示す他の図である。
【図８−３】実施例３に係る携帯情報端末の概略構成を示す他の図である。
【図９】実施例３に係る携帯情報端末の使用態様を示す図である。
【図１０】実施例３の携帯情報端末を把持する構成を示す図である。
【図１１】実施例３の携帯情報端末を把持する構成を示す他の図である。
【図１２】実施例４の携帯情報端末の斜視構成を示す図である。
【図１３】実施例４の携帯情報端末の概略構成を示す図である。
【図１４】実施例４の携帯情報端末を把持する構成を示す図である。
【図１５】実施例４の携帯情報端末を把持する構成を示す他の図である。
【図１６】実施例４の変形例の携帯情報端末を把持する構成を示す他の図である。
【図１７】実施例１の変形例における操作部材の構成を示す図である。
【符号の説明】
【００４７】
１００  携帯情報端末
１０２  液晶画面部
１０３  操作部材無効化部
１０４  撮像部
１１０  本体部
ＡＲ、ＢＲ、ＣＲ、ＤＲ  操作部材
ＡＬ、ＢＬ、ＣＬ、ＤＬ  操作部材
ＲＨ  右手
ＬＨ  左手
１３０  テンキー
２００  携帯情報端末
２０１  電子情報表示部
２０２  半透過光学素子
２１０  本体部
３００、４００、５００  携帯情報端末
３１０、４１０、５１０  本体部
ＯＢＳ  使用者
ＯＢＪ  観察物
ＡＸ  回転中心軸
【図１】
2006134012.tif 000003
【図２】
2006134012.tif 000004
【図３】
2006134012.tif 000005
【図４】
2006134012.tif 000006
【図５−１】
2006134012.tif 000007
【図５−２】
2006134012.tif 000008
【図６−１】
2006134012.tif 000009
【図６−２】
2006134012.tif 000010
【図７】
2006134012.tif 000011
【図８−１】
2006134012.tif 000012
【図８−２】
2006134012.tif 000013
【図８−３】
2006134012.tif 000014
【図９】
2006134012.tif 000015
【図１０】
2006134012.tif 000016
【図１１】
2006134012.tif 000017
【図１２】
2006134012.tif 000018
【図１３】
2006134012.tif 000019
【図１４】
2006134012.tif 000020
【図１５】
2006134012.tif 000021
【図１６】
2006134012.tif 000022
【図１７】
2006134012.tif 000023